(57)【要約】光学検出器であって、複数のピクセルを備え、各ピクセルは、そのピクセルに入射する光を検出し、その光の強度を示す信号を発生するように動作可能なフォトダイオードを備える。前記複数のピクセルは、複数のピクセルペアを備え、前記検出器は、コンフィギュレーションモードにおいて、ピクセルペア毎に、前記ペアの第１ピクセルにより生じた信号を前記ペアの第２ピクセルにより生じた信号と比較するように構成される。上述の光学検出器を組み込んだシステムのように、光学検出方法もまた記載される。
2015505362.tif 000002
【特許請求の範囲】
【請求項１】
光学検出器であって、複数のピクセルを備え、各ピクセルは、そのピクセルに入射する光を検出し、その光の強度を示す信号を発生するように動作可能なフォトダイオードを備え、前記複数のピクセルは、複数のピクセルペアを備え、前記検出器は、コンフィギュレーションモードにおいて、ピクセルペア毎に、前記ペアの第１ピクセルにより生じた前記信号を前記ペアの第２ピクセルにより生じた前記信号と比較するように構成されている光学検出器。
【請求項２】
前記比較は、前記ペアの前記第１ピクセルに入射する光の強度が前記ペアの前記第２ピクセルに入射する光の強度より高いかどうかを判定するために用いられる請求項１に記載の光学検出器。
【請求項３】
前記検出器は、第１出力と第２出力とを備え、前記第１ピクセルにより生じた強度を示す前記信号は、前記比較の結果に応じて前記第１出力または前記第２出力のいずれかに連絡される請求項１または請求項２に記載の光学検出器。
【請求項４】
前記複数のピクセルは、アレイを備え、前記アレイのアクティブ領域内の各ピクセルにより生じた強度を示す前記信号は、前記第１出力または前記第２出力のいずれかに連絡される請求項３に記載の光学検出器。
【請求項５】
実験モードにおいて、前記第１出力で受け取られる強度を示す前記信号は、第１複合強度信号を生成するように合計され、前記第２出力で受け取られる強度を示す前記信号は第２複合強度信号を生成するように合計される請求項４に記載の光学検出器。
【請求項６】
前記実験モードにおいて、前記第２複合強度信号は、前記第１複合強度信号から差し引かれる（またはその逆である）請求項５に記載の光学検出器。
【請求項７】
前記コンフィギュレーションモードにおいて、前記比較は、前記複数のピクセルペアに亘って同時に平行して実行される先行する請求項のいずれかに記載の光学検出器。
【請求項８】
各ピクセルペアは、隣接するピクセルのペアで構成される先行する請求項のいずれかに記載の光学検出器。
【請求項９】
前記ペアの配置は、各ペアの前記第１ピクセルがそのペアの前記第２ピクセルに対して同じ空間関係を常に有するように周期的である先行する請求項のいずれかに記載の光学検出器。
【請求項１０】
一つのペアにおける前記第１ピクセルが、隣接ペアにおける前記第２ピクセルを構成するように、前記ペアはオーバーラップしている請求項８または請求項９に記載の光学検出器。
【請求項１１】
前記複数のピクセルは、第１軸と前記第１軸に垂直な第２軸とを有する規則的な平面アレイ内に設けられ、前記比較は、前記第１軸または前記第２軸に沿って配置されたペアに基づいて行われる先行する請求項のいずれかに記載の光学検出器。
【請求項１２】
前記比較は、前記第１軸におけるペアの比較と、前記第２軸におけるペアの比較との間で切り替え可能である請求項１１に記載の光学検出器。
【請求項１３】
前記比較は、それぞれのペアの前記第１および第２ピクセル間に連結された比較手段により達成される先行する請求項のいずれかに記載の光学検出器。
【請求項１４】
比較手段は、第１ピクセルと複数の近隣ピクセルとの間に設けられ、前記第１ピクセルの強度信号は、前記複数の近隣ピクセルのうちのいずれか１つの強度信号と比較され得る請求項１３に記載の光学検出器。
【請求項１５】
前記比較は、それぞれのペアの前記第１および第２ピクセルのフォトダイオードにより生じた電流の比較を含む請求項１３または請求項１４に記載の光学検出器。
【請求項１６】
前記複数のピクセルは、アクティブ領域およびダミー領域を有するアレイを備え、前記ダミー領域のピクセルは、それらの強度信号を前記第１または第２出力に連絡しない先行する請求項のいずれかに記載の光学検出器。
【請求項１７】
検出光源と、検出光学系と、先行する請求項のいずれかに記載の光学検出器とを備える光学評価システム。
【請求項１８】
テスト下のサンプル中に音波を発生させるように動作可能な励起光源を更に備える請求項１７に記載の光学評価システム。
【請求項１９】
前記励起光源により生じた光放射を整形するための、空間光変調器等の光学イメージング手段を更に備える請求項１８に記載の光学評価システム。
【請求項２０】
前記光学イメージング手段は、前記音波が焦点に集まるように前記光放射を整形するように動作可能である請求項１９に記載の光学評価システム。
【請求項２１】
複数のピクセルを有し、各ピクセルが、そのピクセルに入射する光を検出し、その光の強度を示す信号を発生するように動作可能なフォトダイオードを備える光学検出器を動作させる方法であって、前記方法は、複数ピクセルをペアにグループ分けする手順と、コンフィギュレーションモードにおいて、前記ペアの第１ピクセルにより生じた前記信号を前記ペアの第２ピクセルにより生じた前記信号と比較する手順と、を含む方法。
【請求項２２】
前記比較を用いて、前記ペアの前記第１ピクセルに入射する光の強度が前記ペアの前記第２ピクセルに入射する光の強度より高いかどうかを判定する手順を更に含む請求項２１に記載の光学検出器を動作させる方法。
【請求項２３】
前記比較の結果に応じて、前記第１ピクセルにより生じた強度を示す前記信号を、第１検出器出力または第２検出器出力のいずれかに連絡する手順を更に含む請求項２１または請求項２２に記載の光学検出器を動作させる方法。
【請求項２４】
前記第１出力で受け取られる強度を示す前記信号を合計して、第１複合強度信号を生成する手順と、前記第２出力で受け取られる強度を示す前記信号を合計して、第２複合強度信号を生成する手順とを更に含む請求項２３に記載の光学検出器を動作させる方法。
【請求項２５】
前記第２複合強度信号を前記第１複合強度信号から差し引く（またはその逆の）手順を更に含む請求項２４に記載の光学検出器を動作させる方法。
【請求項２６】
前記比較は、前記複数のピクセルペアに亘って同時に平行して行われる請求項２１から請求項２５いずれか１項に記載の光学検出器を動作させる方法。
【請求項２７】
添付図面を参照して本願明細書に実質的に記載されるような光学検出器。
【請求項２８】
添付図面を参照して本願明細書に実質的に記載されるような光学評価システム。
【請求項２９】
添付図面を参照して本願明細書に実質的に記載されるような光学検出器を動作させる方法。
【発明の詳細な説明】
【発明の詳細な説明】
【０００１】
本発明は、光学評価のための方法およびシステムに関し、そのような方法およびシステムで使用される光学検出器にも関する。限定されるものではないが、本発明は、材料表面上の超音波の光学的検出に関する。
【０００２】
超音波は、欠陥、摩耗、亀裂等に関して材料をテストするために広く利用されており、光学的に不透明な材料の検査を可能にするという重要な長所を有する。従来の（非レーザ）超音波に関する問題は、超音波を発生させて検知するためにトランスデューサとの接触が必要であるということである。これは、アクセス不能または危険な環境に対して、この方法が不適当であることを意味する。レーザ超音波は、音波を発生させ検出するためにレーザを使用して、これらの問題を解決している。一つのレーザは、熱膨張を引き起こすサンプルを加熱することにより、音を発生させる。熱膨張は、次々に音波を発生し、これは、典型的にはテスト下の材料の表面を横切って進む表面弾性波（ＳＡＷ）を含む。そのような音波は、別のレーザシステムで検出することができ、このレーザシステムは、音波が表面の下を通過する時、表面形状の小さな変化を測定する。
【０００３】
しかしながら、レーザ超音波は、それ自体問題がないわけではではなく、主たる一つの問題は、検査したいサンプルが多くのエンジニアリング部品のように「粗い」場合（ここでの粗いとは十分に磨かれておらず良い鏡ではないことのみを意味する）、光は無作為に散乱し、従来の光学技術では、光学ビームの下で通過している音波の存在が検出されないということである。
【０００４】
滑らかな表面および粗い表面のレーザ超音波評価で使用される光学検出器を、本発明者らはここに提案する。この光学検出器は、他の状況での使用にも適用可能である。
本発明の第１の態様によれば、光学検出器であって、複数のピクセルを備え、各ピクセルが、そのピクセルに入射する光を検出し、その光の強度を示す信号を発生するように動作可能なフォトダイオードを備え、前記複数のピクセルが複数のピクセルペアを備え、前記検出器が、コンフィギュレーションモードにおいて、ピクセルペア毎に、そのペアの第１ピクセルにより生じた信号を前記ペアの第２ピクセルにより生じた信号と比較するように構成される光学検出器が提供される。
【０００５】
前記光学検出器は、前記比較を用いて、前記ペアの第１ピクセルに入射する光の強度が前記ペアの第２ピクセルに入射する光の強度より高いか（低いか）どうかを判定するように動作可能であってもよい。
【０００６】
前記検出器は、第１出力と第２出力とを備えていてもよく、前記第１ピクセルにより生じた強度を示す信号は、前記比較の結果に応じて前記第１出力または前記第２出力のいずれかに連絡されてもよい。例えば、第１強度信号が第２強度信号より高い場合、前記第１ピクセルからの前記信号は前記第１出力に連絡されてもよい。反対に、前記第１強度信号が前記第２強度信号より低い場合、前記第１ピクセルからの前記信号は前記第２出力に連絡されてもよい。
【０００７】
前記比較は、前記複数ペアに亘って同時に平行して行われてもよい。
前記複数のピクセルは、アレイを備えてもよく、使用中、前記アレイのアクティブ領域内の各ピクセルにより生じた強度を示す前記信号は前記第１出力または前記第２出力のいずれかに連絡されてもよい。
【０００８】
更に、前記光学検出器は、実験モードを備えていてもよく、実験モードにおいて、前記第１出力で受け取られる強度を示す前記信号は、第１複合強度信号を生成するように合計され、前記第２出力で受け取られる強度を示す前記信号は、第２複合強度信号を生成するように合計されてもよい。
【０００９】
前記第２複合強度信号は、前記第１複合強度信号から差し引かれてもよい（またはその逆であってもよい）。
各ピクセルペアは、隣接したピクセルのペアで構成されていてもよい。前記ペアの配置は、各ペアの前記第１ピクセルがそのペアの前記第２ピクセルに対して同じ空間関係を常に有するように、周期的なものであってもよい。
【００１０】
一つのペアにおける前記第１ピクセルが、隣接ペアにおける前記第２ピクセルを構成するように、前記ペアはオーバーラップしていてもよい。
前記複数のピクセルは、第１軸と前記第１軸に垂直な第２軸とを有する規則的な平面アレイ内に設けられてもよい。前記比較は、前記第１軸または前記第２軸に沿って配置されたペアに基づいて行われてもよい。前記比較は、前記第１軸におけるペアの比較と、前記第２軸におけるペアの比較との間で切り替え可能／切り替えられるように実行可能であってもよい。
【００１１】
前記比較は、それぞれのペアの前記第１および第２ピクセル間に連結された比較手段により達成されてもよい。比較手段は、前記第１ピクセルと複数の近隣ピクセルとの間に設けられてもよく、前記第１ピクセルの強度信号が前記複数の近隣ピクセルのうちのいずれか１つの強度信号と比較されてもよい。
【００１２】
前記比較は、それぞれのペアの前記第１および第２ピクセルのフォトダイオードにより生じた電流の比較を含んでいてもよい。
前記複数のピクセルは、アクティブ領域およびダミー領域を有するアレイを備えていてもよく、前記ダミー領域のピクセルは、それらの強度信号を前記第１または第２出力に連絡しなくてもよい。
【００１３】
前記検出器は、コンフィギュレーションモードと実験モードとの間で、例えば規則的な頻度で、規則的に切り替えられてもよい。
本発明の第２の態様によれば、光学検出器であって、複数のピクセルを備え、各ピクセルが、そのピクセルに入射する光を検出し、その光の強度を示す信号を発生するように動作可能なフォトダイオードを備え、前記検出器が、第１出力と第２出力とを備え、前記検出器が、各ピクセルにより生じた強度を示す前記信号を前記第１出力または前記第２出力のいずれかに連絡するように動作可能であり、前記第１出力で受け取られる強度を示す信号が第１複合強度信号を生成するように合計され、前記第２出力で受け取られる強度を示す信号が第２複合強度信号を生成するように合計される、光学検出器が提供される。
【００１４】
前記第２複合強度信号は、前記第１複合強度信号から差し引かれてもよい（またはその逆であってもよい）。
各ピクセルが接続される前記出力は、ユーザにより選択されてもよい（例えば、プログラムされてもよい）。各ピクセルが接続される前記出力は、本発明の第１の態様に関して上述したように、前記複数ピクセルの内の別のピクセルとの比較に基づき選択されてもよい。
【００１５】
本発明の第３の態様によれば、検出光源と、検出光学系と、本発明の第１もしくは第２の態様、または、従属節のいずれかに関して上述された光学検出器と、を備える光学評価システムが提供される。
【００１６】
前記光学評価システムは、テスト下のサンプル中に音波を発生させるように動作可能な励起光源を更に備えていてもよく、また更に、前記励起光源により生じた光放射を整形するための、空間光変調器等の光学イメージング手段を備えていてもよい。前記光学イメージング手段は、前記音波が焦点に集まるように前記光放射を整形するように動作可能であってもよい。
【００１７】
本発明の更なる態様によれば、複数のピクセルを有し、各ピクセルが、そのピクセルに入射する光を検出し、その光の強度を示す信号を発生するように動作可能なフォトダイオードを備える光学検出器を動作させる方法であって、前記方法は、複数ピクセルをペアにグループ分けする手順と、コンフィギュレーションモードにおいて、前記ペアの第１ピクセルにより生じた前記信号を前記ペアの第２ピクセルにより生じた前記信号と比較する手順と、を含む方法が提供される。
【００１８】
前記方法は、前記比較を用いて、前記ペアの前記第１ピクセルに入射する光の強度が前記ペアの前記第２ピクセルに入射する光の強度より高いかどうかを判定する手順を更に含んでいてもよい。
【００１９】
前記方法は、前記比較の結果に応じて、前記第１ピクセルにより生じた強度を示す前記信号を、第１検出器出力または第２検出器出力のいずれかに連絡する手順を更に含んでいてもよい。
【００２０】
前記方法は、その第１出力で受け取られる強度を示す前記信号を合計して、第１複合強度信号を生成する手順と、その第２出力で受け取られる強度を示す前記信号を合計して、第２複合強度信号を生成する手順とを更に含んでいてもよく、前記第２複合強度信号を前記第１複合強度信号から差し引く（またはその逆の）手順を更に含んでいてもよい。
【００２１】
前記比較は、前記複数のピクセルペアに亘って同時に平行して行われてもよい。
【図面の簡単な説明】
【００２２】
次の図面を参照しつつ、本発明の実施形態を、単なる例として以下に説明する。
【図１】図１は、光学評価システム、特にレーザ超音波評価システムを概略的に示す。
【図２】図２は、図１のシステムにおける超音波（ＳＡＷ）発生を概略的に示す。
【図３】図３は、Ａ．滑らかな表面およびＢ．粗い表面に対する、従来技術のナイフエッジ検出器に入射する反射光を概略的に示す。
【図４】図４は、Ａ．光学検出器の概略図、Ｂ．光学検出器チップのレイアウト、および、Ｃ．画像Ｂに示す光学検出器チップの単一ピクセルのレイアウトを示す。
【図５】図５は、粗い表面の分析中に使用される光学検出器を示す。
【図６】図６は、滑らかな表面の分析中に使用される光学検出器を示す。
【図７】図７は、電流コンパレータの回路図である。
【図８】図８は、（１）従来技術のナイフエッジデバイスにより生成された粗いサンプルのスキャン（画像Ａ）と、本明細書に記載されたタイプの光学検出器により生成された同一の粗いサンプルのスキャン（画像Ｂ）との比較、および、（２）テスト下のサンプルが機械的振動に晒された場合の同様の比較を示す（画像Ｃは、従来技術のナイフエッジデバイスであり、画像Ｄは、本明細書に記載されるような光学センサである）。
【図９】図９は、ピクセルのより詳細な回路図である。
【図１０】図１０は、光学検出器のコンフィギュレーション時間がどのように決定され得るかを図示する。
【図１１】図１１は、適合と測定と間の最小時間がどのように決定され得るかを図示する。
【発明を実施するための形態】
【００２３】
レーザによる超音波検出のための最も単純で最も効果的な検出器の１つは、ナイフエッジ検出器である。ナイフエッジ検出器は、サンプルの表面を横切って通過する音波がサンプルの表面を動かすという事実をうまく利用している。光学ビームが表面上に向けられた場合、ビーム光は、その表面から反射され、そして音波の通過時小さな角度だけ偏向させられる。レンズアレイの形状をした光学素子は、その偏向を通過音波と同期するビームの水平運動に変換し、この水平運動は、その後、感光検出器により検出される。従来のナイフエッジ、または、図３に示されるような分離したフォトダイオード２のいずれかを使用して、ビーム偏向を検知することが可能である。
【００２４】
滑らかな表面の場合、反射光は、図３の左側画像（画像Ａ）に示すディスク４の形状を有する輪郭のはっきりした鏡面反射部に集中する。音波が通過する際に、光のディスクは、検出器を横切って垂直に移動する。「分離」検出器２は、ボトムフォトダイオード８からの信号から、トップフォトダイオード６からの信号を差し引く。従って、ビームがトップからボトムへ移動する際、正の信号が得られ、移動がボトムからトップである場合、負の信号が得られる。従って、サンプルが滑らかな場合、揺れるビームにより音波の移動は、単純且つ効果的な方法で追跡される。
【００２５】
しかしながら、サンプルが粗い場合、光は、もはやきれいなディスク状ではなく、図３の画像Ｂで示すような斑点状である。ここで使用されるような「斑点状である」とは、反射光が、明部１０と暗部１２のパッチのグループを形成することを意味する。超音波がサンプルの表面を横断するにつれ、明暗パッチが共に移動する。これは、ビームが図３に示されるフォトダイオードのトップからボトムに移動する際、幾つかの部分のトップ／ボトム減算は、正の数をもたらし、他の部分は、負の数をもたらし、その結果、平均では信号が全くなくなってしまうため、二等分間の単純な減算は、有用な信号をもたらさないことを意味する。
【００２６】
ここでいう「粗い」表面とは、よいミラーとして機能するために十分に磨くということがなされていない表面を通常意味する。従って、産業上使用される部品の大部分は「粗い」表面を含んでいる。粗いまたは滑らかな表面が機械的振動に晒される時、斑点および／または不規則なビーム偏向に関する同様の問題が生じる場合がある。
【００２７】
上記問題に取り組むことを目的とした光学評価システム１００が図１および２に示されている。
システム１００は、テスト２０下のサンプル表面上で表面弾性波（ＳＡＷ）を引き起こすために、光学放射ビーム１６を生成するように動作可能な励起光源１４を備える。適切な励起光源としてはＮｄ：ＹＡＧレーザ（ネオジムでドープされたイットリウムアルミニウムガーネットレーザ）等の励起レーザが挙げられる。
【００２８】
システムは、更に検出システム２６を含み、検出システムは、図１の差込図に一層完全に示されている。検出システムは、このケースでは検出レーザ２８である検出光源を備え、この光源は、使用時にＳＡＷの期待される経路における適切な位置でサンプル２０の表面上に光学放射ビームを向けるように動作可能である。検出ビームは、サンプル表面から光検出器３０上に反射するように配置される。検出ビームの経路およびその反射は、検出光学系３２により制御される。
【００２９】
使用時、励起源は、任意の適切な方法で（例えば、膨張を引き起こすために表面を加熱することにより、または、アブレーションにより）テスト下のサンプル中に表面弾性波（ＳＡＷ）を発生させるように使用される。その後、ＳＡＷは、検出レーザの反射を通じて光検出器３０で検知される。ＳＡＷの進行は、その後、反射点でのテスト下のサンプル表面に関する情報を得るために分析されてもよい。サンプル表面の画像は、従来の方法で、その表面をラスタ走査することにより構築されてもよい。
【００３０】
必要に応じて、励起レーザ１４により発生する光学放射ビームは、空間光変調器（ＳＬＭ）２２のような適切な結像（イメージング）手段を使用して、所定形状のＳＡＷを生成するために整形されてもよい。示された例では、ＳＬＭ２２は、任意間隔の規則的な格子を結像するように配置される。必要に応じて格子間隔は、作動中に調節可能である。私たちは、格子間隔をＳＡＷの波長にできるだけぴったり整合させることが望ましいと分かった。ＳＡＷが所定位置２４で集中するように、格子を配置することが望ましいことも分かった。そして、検出レーザ２８は、最大偏向が生じる焦点でＳＡＷを画像化するように、配置され得る。ＳＡＷ発生を支援するために使用される光イルミネーションパターンは、図２において１８で示されている。
【００３１】
光学検出器３０が図４の画像Ａにおいて概略的に示されている。光学検出器３０は、複数のピクセル３４を備える。各ピクセルは、フォトダイオード３６（例えば図４画像Ｃ参照）を備え、フォトダイオード３６は、そのピクセルに入射する光を検出するように、および、その光の強度を示す電気信号を発生するように動作可能である。
【００３２】
光学検波器は、インタラクティブに設定可能であるように配置され、この構成において、各ピクセルに入射する光に依存して、光学検出器の体系を変更することができる。具体的に、各ピクセルにより発生した信号は、複数出力のうちの１つに向けられ得る。どの出力が選択されるかは、ピクセルが理解する自身の光学状態に依存する。ピクセルが理解する自身の光学状態は、別のピクセルアレイを参照して判定される。従って、複数のピクセルが複数のピクセルペア３８にグループ化される。ペア毎に、ペアの第１ピクセルに入射する光の強さとペアの第２ピクセルに入射する光の強さとの間の比較が行われる。この比較は、第１ピクセルの出力選択に影響を及ぼす。
【００３３】
詳細を後述するように、検出器が設定可能であるので、ペアの配置は、必要に応じてユーザにより選択されてもよい。ここでいう「ペア」が物理的構造でもなければ２つのピクセル間を関連付けるものでもないことは理解されるであろう。
【００３４】
典型的なピクセルペアの配置は、任意のペアにおける第１および第２ピクセルが互いに隣接する複数ペアを含む。本明細書で述べる超音波の例において、我々は、複数ペアが隣接して、周期的に（つまり、同じ空間配向に、すなわち、水平または垂直であり得る同軸内に全て）配置される場合、最良の結果が達成されるということが分かった。１つのペアの第１ピクセルが隣接するペアの第２ピクセルであるように、近隣するペアがオーバーラップする場合、検出器は、最も効果的に働く。従って、第２ピクセルがその強度信号を向ける出力は、第１ピクセルとは異なるピクセルとの比較に基づき決定され、また異なるペアのグループ分けに関して決定される。
【００３５】
ピクセル間の強度比較は、一例において、互いに実質的に同時に（即ち、平行して）行われる。これは連続して比較を行うことより効率的である。ピクセル強度間の比較は、ピクセル間に結合されたコンパレータにより、例えば比較電子機器の形態で行われる。各ピクセルは、コンパレータにより１つ以上の他のピクセルにリンクされてもよい。なぜならば、そのピクセルが１つ以上のペアの一部を形成することを可能にするからである。例えば、ピクセルは、例えばｘ軸およびｙ軸等の互いに垂直な２つの軸を有する長方形アレイ等の、規則的な平面配列で配置されてもよい。従って、アレイの各ピクセルは、そのピクセルに隣接する４つのピクセル、Ｘ軸において２つ、Ｙ軸において２つを有する（この場合対角線を除外する）。比較電子機器が中心ピクセルと４つの周囲ピクセルとの間に提供される場合、ユーザは、Ｘ軸に沿って、または、Ｙ軸に沿ってペアを配置するように選択することができる。必要に応じて、ユーザは、ペアのグループ分けを変更してもよいし、一方の軸から他方の軸に切り替えてもよい。４つのペアの選択肢を提供することは、大幅な汎用性を、過度の複雑さを伴うことなく可能にする。しかしながら、必要に応じて、更なるペアの選択肢が設けられてもよい（例えば、１つのピクセルと対角線上に隣接した複数のピクセルとの間で比較手段が提供されてもよい）。
【００３６】
典型的には、検出器は、当該検出器に入射する光放射に基づき、選択されたピクセルペアの配置を使用して検出器の体系が設定されるコンフィギュレーションモードと、コンフィギュレーションモードで設定されたように検出器が動作する実験モードと、を備える。コンフィギュレーションモードでは、任意のピクセルペアの各ピクセルにより生じた信号が、例えば検出器上にある電気回路４０により、検出器内で比較される。その比較は、１つのペアの第１ピクセル上に入射する光の強度が、そのペアの第２ピクセル上に入射する光の強度より高いかどうかを判定するために使用される。第１ピクセルに入射する光の強度が第２ピクセルに入射する光の強度より高い場合、第１ピクセルからの信号は第１出力に向けられる。第１ピクセルに入射する光の強度が第２ピクセルに入射する光の強度より低い場合、第１ピクセルからの信号は異なる第２出力に向けられる。
【００３７】
従って、検出器は、ピクセルアレイを横切る複数地点で（即ち、ピクセルペア間で）光勾配に敏感である。変化する光学状況を考慮して、例えばユーザの指示で、または、予めプログラムされた間隔で、検出器は規則的に再設定され得る。
【００３８】
ここで図５を参照すると、設定可能な光学検出器のより詳細な例が記載されている。図５に示す検出器は、斑点ナイフエッジ検出器（ＳＫＥＤ）と時々本明細書で呼ばれ、３２×３２のアクティブフォトダイオードピクセルのアレイ（それらの全てが図に表れているわけではない）を含んでいる。より詳細に後述されるように、検出器は、更にアレイの各エッジに沿ったダミーピクセルの列を含んでいる。
【００３９】
光学検出器５０は、設定（ｃｏｎｆｉｇｕｒｅ）および実験の２つの動作モードを有し、これら２つのモードは、外部デジタル入力により選択可能である。設定モードにおいて、全てのフォトダイオード出力は（光強度に比例した電流に関して）互いに分離している。２つのピクセルのうち、どちらにより多くの光が入射するかを判定するために、複数のピクセルペア（このケースでは、これらのペアは、水平に配置されておりオーバーラップする）に入射する光の相対強度は、電流コンパレータを使用して判定される。採り得る各ペアの水平に隣接したピクセル間にコンパレータがある。
【００４０】
検出器５０は、検出器アレイを横断して光強度の変化を測定するように配置される。隣接するピクセルペアの間において、チップは、左側または右側のどちらに、より多くの光が入射しているかを算出する（左および右の矢印により表わされている）。より多くの光が右側に入射している場合、右側ピクセルからの信号は、第１出力に送られる（暗い矢印５２により示されている）。より多くの光が左側に入射している場合、右側ピクセルからの信号は、第２の異なる出力に送られる（明るい矢印５４により示されている）。左側ピクセルに対する出力選択は、同じ方法で、しかし左側ピクセルを参照することにより判定される。
【００４１】
全てのピクセルペアの比較は、平行して行われ、正勾配の「暗い矢印」ピクセルからの全ての信号は第１出力に送られ合計されると同時に、負勾配の「明るい矢印」ピクセルからの全ての信号は第２出力に送られ合計される。特に、各コンパレータの出力は、電子スイッチのセッティングを決定し、その出力が実験モードになった時点で、電子スイッチ自体は、２つの出力コネクタの内どちらに、即ち、ＡまたはＢのどちらにフォトダイオードの各ペアの第１ピクセルを接続するかを決定する。
【００４２】
従って、実験モードにおいては、多数のピクセルが出力Ａに接続され、また別の多数のピクセルが出力Ｂに接続される。出力Ａに接続されるピクセルは、入射光強度がコンフィギュレーション中において右側にあるピクセルより低いものであり、出力Ｂに接続されるピクセルは、入射光強度が右側にあるピクセルより高いものである。アレイのエッジで比較を行うことができるように、ピクセルアレイのエッジには、ノーマルピクセルと同一であるがそれらの出力を決してＡまたはＢ出力に連絡しない「ダミー」ピクセルの追加行（横列）および追加列（縦列）がある。
【００４３】
実験モード中の結果は、全ての明るい矢印ピクセル５４の合計から全ての暗い矢印ピクセル５２の合計が差し引かれることにより得られる。これは、検出器を横断する斑点の水平運動に比例した信号を結果として生じさせる。従来のナイフエッジ検出器の出力に類似した出力を発生させるために検出器はこのように斑点を分解する。このように、強度変化の測定は、粗いサンプルから反射された光を使用することを可能にし、それをあたかも滑らかな表面からの反射であるようにふるまう光のように再編成することを可能にする。
【００４４】
設定モードおよび実験モード間での切り替えは、１０００回／秒以上（即ち１ｋＨｚ以上）の速度で、例えば５０ｋＨｚ以上の速度で可能である。チップが光学斑点に適合するコンフィギュレーションは、５マイクロ秒未満、例えば約１マイクロ秒または０．１マイクロ秒で行うことができる。
【００４５】
検出器の切り替え速度、即ち、その適合速度は、（ａ）電子コンパレータが、どれくらい速く斑点を追跡することができるか、（ｂ）デバイスが正確に斑点を記録するためにコンフィギュレーションモードに入らなければならない最短時間、および（ｃ）超音波が測定される前にどれくらい時間的に短くコンフィギュレーションが行われ得るか、に依存する。
【００４６】
図１０は、どのようにコンフィギュレーション時間が確立され得るかを示している。「モード選択」トレース６０（最上部のトレース）は、検出器が光学斑点に適合中であるか（即ち、コンフィギュレーションモード中であるか）、それとも超音波を測定中であるか（即ち、実験モード中であるか）を決定する。トレースが高い時（この場合、約１００ｎｓ)、検出器はコンフィギュレーションモード中である。トレースが低い時（残り時間の間）、検出器は実験モード中である。
【００４７】
図１０において、超音波信号は左側に示されていて、中央に示されたモード状態変化からバーストしたノイズの形をしている。トレース０は、設定（ｃｏｎｆｉｇｕｒｅ）前であることを示す。トレース１は、第１設定スロット（ライン０）後であることを示す。トレース２は、第２設定スロット（ライン１）後であることを示し、以下トレース９まで同様である。図に示すように、１００ｎｓのコンフィギュレーション時間は、検出器が適切に再設定を行うのに十分である。
【００４８】
図１１は、コンフィギュレーションと測定との間の最小時間がどのように決定され得るかを示している。このケースでは、モード選択トレース６０は、１．４マイクロ秒のコンフィギュレーション時間を示している。超音波信号は、左側のモード選択状態の変化からバーストしたノイズの形で右側に示されている。トレース０は、全てのピクセルを一方向（無信号）に設定した後の、初回の設定であることを示している。超音波の到着時間ジッタは（前回事象を誘発した）トリガジッタに起因する。
【００４９】
各測定トレースの期間は、５００ｎｓ未満であり、コンフィギュレーションおよび測定は、５００ｎｓ未満の間隔で行われ得ることが分かる。
図６は、光学検出器５０が、滑らかな表面（ディスク状の鏡面反射５６に注目）を撮像するために使用される状況を示している。暗い矢印５２により示されるように左側ピクセルが全て同じ出力に向けられている一方、明るい矢印５４により示されるように右側ピクセルが全て他方の異なる出力に向けられていることが理解できる。従って、滑らかな表面を評価する場合、ＳＫＥＤは、従来のナイフエッジ検出器と同一の方法で挙動する。
【００５０】
図７は、１つのペアにおける２つの隣接ピクセルの入射光強度を示す信号がどのように比較されるかについての簡素化された回路図を示す。各ピクセルは、そのピクセルに入射する光の強度に比例する信号、即ち、電流を発生させるように動作するフォトダイオードを含んでいる。第１の、この場合右側のフォトダイオードの電流（ＩＲｉｇｈｔとして示されている）は、図示される２つのカレントミラー回路を使用して、２度ミラーリングされている。これにより、フォトダイオード中の電流が複製され、同量の電流がトランジスタの隣接ペアを流れる。第２の、この場合左側の、フォトダイオードの電流（ＩＬｅｆｔとして示されている）は、１度ミラーリングされている。「合成電流」と示された線路では、左右の電流がトランジスタＭ１およびＭ２を通じて共に結合される。ここで端子Ｏｕｔは高インピーダンスであるので、Ｍ１およびＭ２内の電流が流れるところは他にどこにもないということに注目することが重要である。右側フォトダイオード中の電流がより大きい場合、Ｍ２は、Ｍ１が供給するよりも多くの電流を吸い込こもうとするであろう。従って、Ｏｕｔ端子の電圧は低い電圧に下がるであろう。左側の光電流の方が高い場合、Ｏｕｔ端子の電圧は、高い電圧に上がるであろう。両方の光電流が全く等しい場合、Ｏｕｔ端子にある電圧は電圧レール間の中間点になるであろう。この回路の出力は、電圧コンパレータへの入力として提供される。従って、電圧コンパレータへの第２入力（参照用）を、電圧レール間の中間点に設定することにより、コンパレータの出力は、どちらのフォトダイオードの電流がより高いか示す。
【００５１】
完全なピクセル用の回路が図９に示されている。図９に示される回路は、電流比較回路の形をとった比較手段を含み、この回路は、例えば上述したようなｘおよびｙ軸である２つの軸を有する検出器において使用するのに適しており、いずれか一方の軸（または両方）において比較を行うことができる。既に述べたように、ピクセルは、第１および第２出力、即ち、ＡおよびＢ間を切り替わるように動作可能であり、また検出器は、設定および実験の２つのモードを有する。
【００５２】
設定モード中、各ピクセルは、その光強度を隣接したピクセルと比較する。第１ピクセルにおける強度の方がより高い場合、第１ピクセルは、その出力をＡに設定する。隣接したピクセルにおける光強度の方がより高い場合、第１ピクセルは、その出力をＢに設定する。
【００５３】
実験モード中において、全てのピクセル出力Ａは、共に結合され、また全てのピクセル出力Ｂも、共に結合される。これは、チップ出力Ａおよびチップ出力Ｂが、それぞれ、「Ａ」ピクセルおよび「Ｂ」ピクセルのそれぞれからの光強度または光電流の合計を表しているということを意味する。
【００５４】
ピクセルは、それぞれフォトダイオードを含み、それはピクセルにおける感光素子である。動作中、フォトダイオードは、３つの伝送ゲート（スイッチ）によりコントロールされるような３形態のうちの１つで接続される。（「Ｍｅａｓｕｒｅ」として図９に示された）ピクセルへの「モード」デジタル入力がハイに保持される場合、ピクセルは設定モードに入り、フォトダイオードは比較回路に接続される。
【００５５】
比較回路は、２つのアーム中で光電流を複製するカレントミラーから成る。これらのアームの一方では、光電流が再度複製され、他方のアームが電流ソースとして機能している状態で、電流シンクとして作用する。これらの２つのミラーの出力は伝送ゲートを通って２つの隣接したピクセルに接続される。１つのアームは、比較対象の「次の」フォトダイオードに行き、別のアームは「前の」フォトダイオードに行く。この配置により、比較がチップを横切って平行に行われることが可能になる。「Ａｘｉｓ（軸）」デジタル入力により、比較対象のフォトダイオードが選択可能になる。「Ａｘｉｓ」デジタル入力がハイである場合、比較が第１軸、この場合には水平軸において起きる。「Ａｘｉｓ」デジタル入力がロウである場合、比較は第２軸、この場合には垂直（ｐｅｒｐｅｎｄｉｃｕｌａｒ）、縦（ｖｅｒｔｉｃａｌ）軸において起きる。この特徴により、検出器の移動を必要とすることなく両軸における比較が可能になる。隣接ピクセル間の比較は、隣接ピクセルの電流シンク出力との比較を行っているピクセルの電流ソース出力を、両方、選択された軸用のそれぞれの伝送ゲートを通じて接続することにより行われる。これら２つのカレントミラー間のポイントは、電圧コンパレータの入力に接続される。ソースおよびシンクの両者において電流が同一の場合、電圧コンパレータ入力において、供給電圧の半分の電圧が期待される。ソース電流がより高ければ電圧は増加し、ソース電流がより低ければ電圧は減少する。（チップ中の全てのピクセルに対してグローバルな）基準電圧は、第２コンパレータ入力に供給される。
【００５６】
コンパレータの出力は、デジタルラッチに接続される。ピクセルが実験モードに置かれると、デジタルラッチはコンパレータの値を保持する。フォトダイオードはまた比較回路から切断され、デジタルラッチの値に依存して出力ＡまたはＢ（図中、「ＲｅｓＬｅｆｔ」および「ＲｅｓＲｉｇｈｔ」により示される）のいずれかに接続される。
【００５７】
「ピクセルロジック」ブロック内には、記憶されたデジタルロジックが更にある。これにより、各ピクセルでのデジタルラッチの値を読んでチップからそれを取り出す能力と共に、各ピクセルでのラッチ用の値をチップの外からプログラムする能力が得られる。これらは両方とも、設計に対して役立つ追加機能である。コンフィギュレーションデータは例えばセンサ上の光を指し示すので、コンフィグレーションデータを見ることができることは、実験環境において役立つ。コンフィギュレーションデータをプログラムすることができることにより、センサを、標準ナイフエッジ検出器として、または他のパターンとしてプログラムすることができる。コンフィギュレーションデータは「Ｆｏｒｃｅ」をハイに設定し、「Ｓｅｌｅｃｔ＿ｎ」をロウに設定し、「Ｄｉｒｅｃｔｉｏｎ」上で所望のコンフィギュレーション値を設定し、次に「ＦｏｒｃｅＳｅｔ＿ｎ」を少しの間ロウに設定することによりプログラムすることができる。コンフィギュレーションデータは、「Ｆｏｒｃｅ」をロウに設定し、「Ｓｅｌｅｃｔ＿ｎ」をロウに設定し、「Ｄｉｒｅｃｔｉｏｎ」からコンフィギュレーションデータを読むことにより得られる。
【００５８】
いくつかの実験的な特性評価が行われ、約１００ＭＨｚの帯域幅をここに記載されたタイプの検出器で達成できることが分かった。この設計の将来のバージョンにおいては、これを例えば２００ＭＨｚに増加させることが可能かもしれない。
【００５９】
図８は、多くのレーザ超音波アプリケーションに十分である約２０ＭＨｚの帯域幅を有する実験用光学検知器を使用して達成された幾つかの実験結果を示す。
発生レーザが８２ＭＨｚの周波数で表面弾性波を励起させるＯ−ＳＡＭ（全光学走査超音波顕微鏡）と呼ばれるレーザ超音波システムを使用して、実験用検出器はテストされた。実験用検出器は、光学上粗いアルミニウム表面に関して標準ナイフエッジ検出器（ＫＥＤ）と比較された。図８のパネル（１）におけるグラフの組は、サンプルが２ｍｍの距離に亘ってスキャンされた時の８２ＭＨｚの規格化された振幅を示す。左側の画像Ａは、従来のＫＥＤの出力を示し、斑点の変化に起因して顕著に変動している状態を示している。幾つかのサンプル位置では、とても小さい信号が存在するだけである。右側の画像Ｂでは、実験用光学検出器の出力が示されている。ＳＫＥＤが各サンプル位置で光学斑点に適合するので、信号がはるかにより一定であるということが分かる。理想的な挙動は、１の高さでの平なラインであろう。
【００６０】
同様に画像Ｃにおいて右側にＫＥＤを有し、画像Ｄにおいて左側に実験用光学検出器を有する図８のパネル（２）に示すように、斑点パターンをも変化させる周辺の機械的振動に機器が晒される場合、同様の比較挙動が観察される。この場合も、新しい検出器が改善された結果を提供することは理解される。前述同様に理想的な挙動は、１の高さを有する平なラインであろう。
【００６１】
ここに記載された光学検出器は、従来のナイフエッジ検出器の当座の代替として動作可能であるが、この光学検出器は、滑らかな表面上および粗い表面上での測定を得るように動作可能である。検出器の体系（例えば、複数出力のうちのどれにピクセル信号が向けられる／連絡されるか）は、局部照明状態に応じて、アレイの別のピクセルを参照しつつインタラクティブに設定される。ピクセルペアを横切る強度勾配が、コンフィグレーション中に比較される。検出器は、例えば予めプログラムされた間隔（例えば、０．００１秒、０．０１秒、０．０５秒毎に、または０．１秒毎に）で規則的に、またはユーザの指令に応じて再設定され得る。
【００６２】
従来のナイフエッジ検出器は、単一軸においてビームの偏りを測定するが、ここに記載された設定可能な検出器は、ユーザ制御可能な入力に基づいて、垂直および水平軸の両方においてビームの偏りを検出することができる。これは、両方の軸における測定を、物理的に装置を移動させずにすることができるということを意味している。また、装置からコンフィギュレーションデータを読み取ることも可能である。これは、ユーザがそれらのサンプル表面の粗さに関する情報を得て、照明および検出器が正確に位置調整されているかを判断することを可能にする。コンフィギュレーションデータは保存することができ、また入力することもできる。これは、ユーザが、例えば前回の設定や、従来のナイフエッジ等の所定パターンに応じて動作するように、必要に応じて、検出器の体系を直接プログラムすることを可能にする。
【００６３】
光学検出器は主としてレーザ超音波用途に関して本明細書で説明されたが、そのようなセンサは、他の用途においても役立つことが理解されよう。例えば検出器チップの感度を速く安くコントロールできることが望ましいということを、変化する光レベルが意味する状況において役立つことが理解されよう。
【図３Ａ】
2015505362.tif 000003
【図３Ｂ】
2015505362.tif 000004
【図４Ａ】
2015505362.tif 000005
【図４Ｂ】
2015505362.tif 000006
【図４Ｃ】
2015505362.tif 000007
【図５】
2015505362.tif 000008
【図６】
2015505362.tif 000009
【図１】
2015505362.tif 000010
【図２】
2015505362.tif 000011
【図７】
2015505362.tif 000012
【図８】
2015505362.tif 000013
【図９】
2015505362.tif 000014
【図１０】
2015505362.tif 000015
【図１１】
2015505362.tif 000016
【国際調査報告】
2015505362.tif 000017
2015505362.tif 000018
2015505362.tif 000019
2015505362.tif 000020
2015505362.tif 000021
2015505362.tif 000022